(57)【要約】【課題】擬石状パネルを使用しながら、できるだけ自然らしさを持った石垣模様を表現することができ、更に、取付箇所を減少させて、取り付けに伴なう手間を減少させながら、確実に擬石状パネルを取り付けることができるようにしたコンクリート擁壁の壁面構造の提供。【解決手段】複数個の擬石状パネルが、隣り合う擬石状パネルの間に目地を保持させるように、コンクリート壁面１２に取付手段によって取り付けられているコンクリート擁壁の壁面構造であって、隣り合う一方の擬石状パネル２ｂの外縁部を他方の擬石状パネル２ｃの外縁部に正面視でオーバーラップＲさせて目地３を覆うようにした目地被覆部４が少なくとも一部に形成され、この目地被覆部において、上側の擬石状パネルの外縁部で、下側の擬石状パネルの外縁部を押えるように当接させたパネル押え部５が形成されている。【選択図】      図２
2004183413.tif 000002
【特許請求の範囲】
【請求項１】
表面を石模様に形成した複数個の擬石状パネルが、隣り合う擬石状パネルの間に目地を保持させるように、コンクリート壁面に取付手段によって取り付けられているコンクリート擁壁の壁面構造であって、
隣り合う一方の擬石状パネルの外縁部を他方の擬石状パネルの外縁部に正面視でオーバーラップさせて目地を覆うようにした目地被覆部が少なくとも一部に形成され、
この目地被覆部において、上側の擬石状パネルの外縁部で、下側の擬石状パネルの外縁部を押えるように当接させたパネル押え部が形成されていることを特徴とするコンクリート擁壁の壁面構造。
【発明の詳細な説明】
【０００１】
【発明の属する技術分野】
本発明は、コンクリート擁壁を構築するのに用いられる擁壁用ブロックや現場打ちコンクリート擁壁を対象とした壁面構造に関する。
【０００２】
【従来の技術】
従来、コンクリート擁壁の壁面を石垣模様にするための技術として、それぞれ表面を石模様に形成した擬石状パネルを、釘やボルト等の取付手段によって壁面に取り付けるようにした技術が提案されている（例えば、特許文献１、特許文献２参照）。
このような壁面構造は、擬石状パネルをコンクリート壁面に取り付けていくという簡単な作業でありながら、平坦なコンクリート壁面上に石垣模様の壁面を表現させることができるという利点がある。
【０００３】
【特許文献１】
特開２０００−２２０１５５号公報（図１符号３）
【特許文献２】
特開２０００−３５６０２６号公報（図１符号２２）
【０００４】
【発明が解決しようとする課題】
しかしながら、従来における壁面構造では、擬石状パネルの外縁部が下り傾斜であったり、ほぼ垂直であったりするため、図３に示すように、隣り合う擬石状パネル２ｄ，２ｂの間では、正面視で目地３が丸見えの状態になってしまう。
これでは、石垣模様の壁面ではあっても、自然の石垣らしさが得られず、石垣としての趣に欠けるという問題があった。
特に、擬石状パネルをコンクリート壁面に取り付けるようにした壁面構造では、その取り付け作業を容易にするために、擬石状パネルの厚みを薄くして軽量化を図るのが望ましいが、目地が擬石状パネルの外縁全周に亘って上記の図３のように丸見えの状態では、擬石状パネルの薄さ、即ち、目地空間の奥行が明瞭になって深みを出すことができず、自然の石垣らしさが得られないという問題が生じる。
【０００５】
又、擬石状パネルを用いた壁面構造において、取付手段によって各擬石状パネルをコンクリート壁面に取り付けていく場合、少なくとも３ヶ所以上（擬石状パネルが小さい場合には２ヶ所でもよい）に取付箇所を設けて、擬石状パネルの重量を支えると共に、擬石状パネルの壁面からの剥がれを押えるようにする必要がある。
この取付箇所が多いほど、擬石状パネルの取り付けを確実にできるが、取付箇所が多くなると、それだけ取り付けに伴なう手間が増大し、作業能率を向上できなくなるという問題が生じる。
【０００６】
本発明は、上記のような問題を解決するためになされたもので、擬石状パネルを使用しながら、できるだけ自然らしさを持った石垣模様を表現することができ、更に、取付箇所を減少させて、取り付けに伴なう手間を減少させながら、確実に擬石状パネルを取り付けることができるようにしたコンクリート擁壁の壁面構造を提供することを課題としている。
【０００７】
【課題を解決するための手段】
上記の課題を解決するために、本発明のコンクリート擁壁の壁面構造は、
表面を石模様に形成した複数個の擬石状パネルが、隣り合う擬石状パネルの間に目地を保持させるように、コンクリート壁面に取付手段によって取り付けられているコンクリート擁壁の壁面構造であって、
隣り合う一方の擬石状パネルの外縁部を他方の擬石状パネルの外縁部に正面視でオーバーラップさせて目地を覆うようにした目地被覆部が少なくとも一部に形成され、
この目地被覆部において、上側の擬石状パネルの外縁部で、下側の擬石状パネルの外縁部を押えるように当接させたパネル押え部が形成されている構成とした。
【０００８】
従って、この壁面構造では、隣り合う擬石状パネルの間において、少なくとも一部に目地被覆部が形成されているため、この目地被覆部においては正面視で目地が見えず、擬石状パネルの薄さ、即ち目地空間の奥行を図り知ることができない。
これにより、擬石状パネルを使用しながら、できるだけ自然らしさを持った石垣模様を表現することができる。
【０００９】
又、前記目地被覆部において、上側の擬石状パネルの外縁部で、下側の擬石状パネルの外縁部を押えるように当接させたパネル押え部が形成されているので、このパネル押え部においては、下側の擬石状パネルの外縁部は、上側の擬石状パネルにより押えられて、壁面に取り付けられた状態になる。
【００１０】
このように、下側の擬石状パネルは、パネル押え部において壁面に取り付けられるため、この部分については、取付手段による取り付けを省略することができ、それだけ下側の擬石状パネルに対する取付箇所を減少することができる。
【００１１】
尚、本発明において、前記目地被覆部は、隣り合う擬石状パネルの間において、少なくとも一部に形成されていればよいもので、他の部分は、前記した図３のように目地が丸見えの状態でも構わないし、全周に亘って目地被覆部に形成してもよい。
又、前記パネル押え部は、目地被覆部の一部に形成されていればよく、また、全ての目地被覆部にパネル押え部を形成する必要はなく、パネル押え部を形成した目地被覆部と、パネル押え部を形成していない目地被覆部があってもよい。
【００１２】
【発明の実施の形態】
以下、本発明の実施の形態を図面に示す実施例により詳述する。
図１は本発明の壁面構造を、Ｌ形擁壁用ブロックに適用した場合の実施例を示す斜視図、図２は図１のＡ−Ａ断面図、図３は図１のＢ−Ｂ断面図である。
【００１３】
このＬ形擁壁用ブロック１は、コンクリート擁壁を構築するために用いるコンクリートブロックであって、底板部１０と前面板部１１とでＬ形に形成され、前面板部１１の正面が平坦なコンクリート壁面１２に形成されている。
そして、このコンクリート壁面１２上に複数個（実施例では７個）の擬石状パネル２ａ，２ｂ，２ｃ，２ｄ，２ｅ，２ｆ，２ｇ（総称する場合は、符号２で表す）を、取付手段としての釘６により、目地３を保持して取り付け（張り付け）ることでコンクリート擁壁の壁面構造が形成されている。
【００１４】
前記各擬石状パネル２は、裏面が平坦面に形成され、表面は石状の凹凸を形成した擬石状に形成されている。
尚、この実施の形態では、各擬石状パネル２は、コンクリートにより成形したものであるが、コンクリートに限らず、軽量コンクリート、ＧＲＣコンクリート、プラスチック、自然石等を用いて成形してもよい。
又、擬石状パネル２の表面に、塗装したり、着色したり、撥水処理を施したり、研磨加工、ハツリ加工等を施したりすることで、より自然石に似せるようにすることは任意である。
【００１５】
そして、隣り合う擬石状パネル２ｂ，２ｃの外縁部の一部に、図２（図１のＡ−Ａ断面）で示すように、一方の擬石状パネル２ｃの外縁部を他方の擬石状パネル２ｂの外縁部に正面視でオーバーラップＲさせて、目地３を覆うようにした目地被覆部４が形成されている。
即ち、一方の擬石状パネル２ｃの外縁部をオーバーハング状の逆傾斜に形成して、他方の擬石状パネル２ｂの外縁部にオーバーラップＲさせている。
【００１６】
この場合、前記目地被覆部４において、上側の擬石状パネル２ｃの外縁部で、下側の擬石状パネル２ｂの外縁部を押えるように当接させたパネル押え部５が形成されている。
なお、擬石状パネル２ａ，２ｂの間、擬石状パネル２ｆ，２ｂの間、擬石状パネル２ｂ，２ｇの間、擬石状パネル２ｇ，２ｅの間にも目地被覆部４が形成され、この各目地被覆部４に、図２で示したパネル押え部５と同様に、それぞれパネル押え部５が形成されている。
【００１７】
従って、このように形成した壁面構造では、隣り合う擬石状パネル２，２の間において、一部に目地被覆部４が形成されているため、この目地被覆部４においては正面視で目地３が見えず、擬石状パネル２の薄さ、即ち目地空間の奥行を図り知ることができず、深みをだすことができる。
これにより、擬石状パネル２を使用しながら、できるだけ自然らしさを持った石垣を表現することができるようになる。
【００１８】
又、目地被覆部４において、上側の擬石状パネルの外縁部で、下側の擬石状パネルの外縁部を押えるように当接させたパネル押え部５が形成されているので、このパネル押え部５においては、下側の擬石状パネルの外縁部は、上側の擬石状パネルにより押えられて、壁面に取り付けられた状態になる。
【００１９】
例えば、擬石状パネル２ｂについては、その下端縁部、及び下側両縁部の合計３ヶ所にパネル押え部５が形成されており、従って、本来は、取付手段としての釘６による取付箇所を４ヶ所に設ける必要があるものが、２ヶ所で足り、それだけ釘６による取付箇所を減少させて、取り付けに伴なう手間を減少させながら、確実に擬石状パネルを取り付けることができる。
このように、下側の擬石状パネルは、パネル押え部において壁面に取り付けられるため、この部分については、取付手段としての釘による取り付けを省略することができ、それだけ下側の擬石状パネルに対する釘による取付箇所を減少することができる。
【００２０】
なお、本発明の壁面構造は、実施例で示したＬ形擁壁用ブロック以外に、大型積みブロック、積み上げブロック、法面用ブロック等の擁壁用ブロックのほか、現場打ちされたコンクリート壁面にも適用することができる。
【００２１】
【発明の効果】
以上説明してきたように、本発明の壁面構造にあっては、目地被覆部を形成させたので、擬石状パネルを使用しながら、できるだけ自然らしさを持った石垣を表現することができる。
【００２２】
又、目地被覆部においてパネル押え部を形成させたので、取付手段による取り付けを省略することができ、それだけ取付手段による取付箇所を減少させて、取り付けに伴なう手間を減少させながら、確実に擬石状パネルを取り付けることができるという効果が得られる。
【図面の簡単な説明】
【図１】本発明の壁面構造を、Ｌ形擁壁用ブロックに適用した場合の実施例を示す斜視図である。
【図２】図１のＡ−Ａ断面図である。
【図３】図１のＢ−Ｂ断面図である。
【符号の説明】
１  Ｌ形擁壁用ブロック
１０  底板部
１１  前面板部
１２  コンクリート壁面
２ａ  擬石状パネル
２ｂ  擬石状パネル
２ｃ  擬石状パネル
２ｄ  擬石状パネル
２ｅ  擬石状パネル
２ｆ  擬石状パネル
２ｇ  擬石状パネル
３  目地
４  目地被覆部
５  パネル押え部
６  釘（取付手段）
Ｒ  オーバーラップ
【図１】
2004183413.tif 000003
【図２】
2004183413.tif 000004
【図３】
2004183413.tif 000005